(57)【特許請求の範囲】
【請求項１】
読み取り資料を載置するステージと、該ステージの背面側に立設された支持アームと、該支持アームの上端から正面側に向かって水平方向に延在するように設けられると共に前記ステージの上方に配置され前記読み取り資料を撮像する撮像部と、該撮像部に回動部を介して回動可能に取り付けられたＬＣＤモニターとを有し、該ＬＣＤモニターは前記回動部の回動により前記ステージと前記撮像部との間に収納可能に構成されていることを特徴とする拡大読書器。
【請求項２】
前記拡大読書器は、前記ステージと前記撮像部との間における前記ＬＣＤモニターの収納状態を保持するためのロック機構を有している請求項１に記載の拡大読書器。
【請求項３】
前記回動部は、前記撮像部の両側にそれぞれ設けられ先端部に前記ＬＣＤモニターを固定した一対のモニターアームと、該モニターアームの基端部間に設けられた連動部材とを有し、該連動部材は弾性部材により付勢されており、前記モニターアームが水平位置より回動降下すると水平位置に向かう復元力が作用するよう構成されている請求項１又は２に記載の拡大読書器。
【発明の詳細な説明】
【技術分野】
【０００１】
本発明は、読み取り資料を拡大表示するための拡大読書器に関するものである。
【背景技術】
【０００２】
ＬＣＤモニターの普及に伴い、拡大読書器に使用されるモニターも液晶化が進んでいるが、ＬＣＤモニターが拡大読書器本体から大きく突出してしまうため、非使用時や収納時にＬＣＤモニターが邪魔になり、コンパクト化が嘱望されていた。
【０００３】
また、製品外寸が大きくなると運搬時に不利となるため、ＬＣＤモニター、モニターアーム、または拡大読書器本体を分離させた状態で梱包し出荷していた。その結果、主なユーザーである目の不自由な使用者がモニターの取り付けや配線など難易度の高い作業を行わなければならなかった。
【先行技術文献】
【特許文献】
【０００４】
【特許文献１】引用無し
【発明の概要】
【発明が解決しようとする課題】
【０００５】
そこで、本発明の課題は、ＬＣＤモニターを使用した拡大読書器をコンパクト化することができ、運搬時にＬＣＤモニターを拡大読書器本体に取り付けた状態で出荷でき、目の不自由なユーザーがＬＣＤモニターの取り付けや配線などの難易度の高い作業を行う必要もなく、梱包の簡素化および運搬費の低減を図ることができる拡大読書器を提供することにある。
【課題を解決するための手段】
【０００６】
上記課題を解決するため、請求項１に記載の発明に係る拡大読書器は、読み取り資料を載置するステージと、該ステージの背面側に立設された支持アームと、該支持アームの上端から正面側に向かって水平方向に延在するように設けられると共に前記ステージの上方に配置され前記読み取り資料を撮像する撮像部と、該撮像部に回動部を介して回動可能に取り付けられたＬＣＤモニターとを有し、該ＬＣＤモニターは前記回動部の回動により前記ステージと前記撮像部との間に収納可能に構成されていることを特徴とする。
【０００７】
請求項２に記載の発明は、請求項１に記載の拡大読書器において、前記ステージと前記撮像部との間における前記ＬＣＤモニターの収納状態を保持するためのロック機構を有していることを特徴とする。
また、請求項３に記載の発明は請求項１又は２に記載の拡大読書器において、前記回動部は、前記撮像部の両側にそれぞれ設けられ先端部に前記ＬＣＤモニターを固定した一対のモニターアームと、該モニターアームの基端部間に設けられた連動部材とを有し、該連動部材は弾性部材により付勢されており、前記モニターアームが水平位置より回動降下すると水平位置に向かう復元力が作用するよう構成されていることを特徴とする。
【発明の効果】
【０００８】
請求項１によれば、ＬＣＤモニターを使用した拡大読書器をコンパクト化することができ、運搬時にＬＣＤモニターを拡大読書器本体に取り付けた状態で出荷でき、目の不自由なユーザーがＬＣＤモニターの取り付けや配線などの難易度の高い作業を行う必要もなく、梱包の簡素化および運搬費の低減を図ることができる。
請求項２によれば、ステージと撮像部との間におけるＬＣＤモニターの収納状態を確実に保持できる。
請求項３によれば、ステージと撮像部との間に収納されたＬＣＤモニターを使用する際により軽く持ち上げることができ使用者の負担を軽減できる。
【図面の簡単な説明】
【０００９】
【図１】本発明の拡大読書器の一実施例の斜視図である。
【図２】図１に示した拡大読書器の作用を示す斜視図である。
【図３】図１に示した拡大読書器における回動部の内部構造を説明するための部分斜視図である。
【図４】図１に示した拡大読書器における回動部の作用を説明するための部分斜視図である。
【発明を実施するための形態】
【００１０】
本発明では、ＬＣＤモニター５がステージ２と撮像部３との間に収納可能に構成されているため、ＬＣＤモニターを使用した拡大読書器がコンパクト化され、運搬時にＬＣＤモニターを拡大読書器本体に取り付けた状態で出荷でき、目の不自由なユーザーがＬＣＤモニターの取り付けや配線などの難易度の高い作業を行う必要もなく、梱包の簡素化および運搬費の低減を図ることができる拡大読書器１を実現した。
【実施例１】
【００１１】
本発明の拡大読書器を図１ないし図４に示した一実施例を用いて説明する。
本発明の拡大読書器１は、図１に示すように、読み取り資料を載置するステージ２と、ステージ２の上方に配置され読み取り資料を撮像する撮像部３と、撮像部３に回動部４を介して回動可能に取り付けられたＬＣＤモニター５とを有し、ＬＣＤモニター５は回動部４の回動によりステージ２と撮像部３との間に収納可能に構成されている。以下、各構成について順次詳述する。
【００１２】
ステージ２は、その上面に読み取り資料を載置するためのものであり、クロススライド機構（図示せず）を備え、前後及び左右に移動可能に設けられている。
【００１３】
撮像部３は、ステージ２上に載置された読み取り資料を撮影して後述するＬＣＤモニター５の画面上に拡大表示するための部位であり、ステージ２の背面側に立設された支持アーム６の上端から正面側に向かって水平方向に延在するように設けられた筺体にて構成されている。
【００１４】
撮像部３内には、水平方向に対して４５゜傾斜させて配されたミラー７と、ミラー７に対向して水平姿勢で配されたレンズユニット８と、ライト９ａ，９ｂと、ポインタ１０と、制御部（図示しない）が組み込まれている。
【００１５】
ミラー７の下部には撮像孔（図示しない）が形成されており、レンズユニット８は、撮像孔を介してミラー７に写った読み取り資料を撮影するように構成されている。
【００１６】
ライト９ａ，９ｂは、撮像部３の左右の両側下面にそれぞれ取り付けられおり、ステージ２上を照射するものである。また、ポインタ１０はステージ２上におけるレンズユニット８の撮影範囲の略中心を照射するために設けられたものであり、ＬＥＤ照射ランプにて構成されている。
【００１７】
制御部は、所定のスイッチ入力に基づきレンズユニット８で撮像した画像信号を処理したり出力したりする各種画像処理制御、ライト９ａ，９ｂまたはポインタ１０のオン・オフ制御などを行い、使用方法を音声で説明するためのボイスレコーダー（図示せず）等も備えている。
【００１８】
ＬＣＤモニター５は、レンズユニット８にて撮影された読み取り資料を画面上に拡大表示するためのものであり、撮像部３に回動部４を介して回動可能に取り付けられている。
【００１９】
具体的には、ＬＣＤモニター５は、図１に示した位置（撮像部３の正面側前方位置）から図２に示した位置（撮像部３の下方位置）に、反時計回りに９０°回転可能に構成されており、ステージ２と撮像部３との間に収納可能となっている。これにより、ＬＣＤモニターを使用した拡大読書器をコンパクト化することができ、運搬時にＬＣＤモニターを拡大読書器本体に取り付けた状態で出荷でき、目の不自由なユーザーがＬＣＤモニターの取り付けや配線などの難易度の高い作業を行う必要もなく、梱包の簡素化および運搬費の低減を図ることができる。
【００２０】
他方、この拡大読書器１を使用する場合には、逆にＬＣＤモニター５を、図２に示した位置（撮像部３の下方位置）から図１に示した位置（撮像部３の正面側前方位置）に時計回りに９０°回転させて、ＬＣＤモニター５の画面を垂直方向に延在させ拡大表示された読み取り資料を読むことができる。
【００２１】
すなわち、拡大読書器１はステージ２上におけるポインタ１０の照射に合わせて読み取り資料を載置すると、読み取り資料がミラー７に写り、レンズユニット８により撮影される。この撮像画像は、レンズユニット８の画像処理部（図示しない）により反転処理されて、正立画像をＬＣＤモニター５の画面に拡大表示され使用者が読むことができるように構成されている。
【００２２】
回動部４は、ＬＣＤモニター５を支持して撮像部３に取り付けると共に、回動してＬＣＤモニター５をステージ２と撮像部３との間に収納するよう機能する部位であり、撮像部３の両側にそれぞれ設けられ先端部にＬＣＤモニター５を固定した一対のモニターアーム１１ａ，１１ｂと、図３または図４に示すように、モニターアーム１１ａ，１１ｂの基端部間に設けられた連動部材１２とを有している。
【００２３】
連動部材１２は、モニターアーム１１ａ，１１ｂの水平位置より下方への回動に連動してカバー１３と共に回動する部位であり、弾性部材１２ａ，１２ｂにより付勢されている。
【００２４】
具体的には、連動部材１２はモニターアーム１１ａ，１１ｂが水平位置より回動降下すると水平位置に向かう復元力が作用するよう付勢されており、これによって、ステージ２と撮像部３との間に収納されたＬＣＤモニター５を使用する際により軽く持ち上げることができ、使用者の負担を軽減できるよう構成されている。
【００２５】
また、この実施例の拡大読書器１は、ステージ２と撮像部３との間におけるＬＣＤモニター５の収納状態を保持するためのロック機構１４を有している。
【００２６】
ロック機構１４は、図３に示すように、連動部材１２にそれぞれ一体に形成され相互に直交する方向に延出して設けられた回動片部１２ｃ，１２ｄと、連動部材１２の下方に配され、撮像部３の上面に固定される固定用板材部１５の前後にそれぞれ延出して設けられた係止片部１５ａ，１５ｂと、係止部材１６とから構成されている。
【００２７】
そして、図１に示した状態（ＬＣＤモニター５の画面が正面を向いている状態）では、図３に示すように、回動片部１２ｄが係止片部１５ｂの上面に重ね合わされた状態で係止部材１６により螺合固定されることによって、ＬＣＤモニター５が正面を向く状態が保持されている。
【００２８】
他方、図２に示した状態（ＬＣＤモニター５が下方を向いている状態）では、図４に示すように、回動片部１２ｃが係止片部１５ａの上面に重ね合わされた状態で係止部材１６により螺合固定されることにより、ＬＣＤモニター５が下方を向いた状態が保持されている。これによって、連動部材１２に付加された上方への復元力（回動力）に抗して、ステージ２と撮像部３との間におけるＬＣＤモニター５の収納状態を確実に保持できるように構成されている。
【００２９】
なお、この実施例の回動部４は、撮像部３の上部に取り付けられているが、これに限定されるものではなく、モニターアームが撮像部の側部に回動可能に取り付けられたものも本発明の範疇に包含される。また、この実施例の回動部４は撮像部３の両側にそれぞれ設けられた一対のモニターアーム１１ａ，１１ｂを有しているが、これに限定されるものではなく、１本のモニターアームによりＬＣＤモニターが回動可能に支持されたものも本発明の範疇に包含される。
また実施例は、ロック機構として回動片部１２ｄを係止片部１５ｂの上面に重ね合わされた状態で係止部材１６により螺合固定する構成を採用しているが、これに限定されるものではなく、螺合に代えて、たとえばフック手段を用いてワンタッチで回動片部１２ｄを係止片部１５ｂに掛止する構成を採用することも可能である。
【符号の説明】
【００３０】
１    拡大読書器
２    ステージ
３    撮像部
４    回動部
５    ＬＣＤモニター
６    支持アーム
７    ミラー
８    レンズユニット
９    ライト
１０  ポインタ
１１  モニターアーム
１２  連動部材
１３  カバー
１４  ロック機構
１５  固定用板材部
１６  係止部材
【図１】
0005643042.tif 000002
【図２】
0005643042.tif 000003
【図３】
0005643042.tif 000004
【図４】
0005643042.tif 000005